(57)【要約】      （修正有）【課題】新型のカードが挿入可能なカードコネクタを提供する。【解決手段】カードコネクタ１００は、電子カードが挿入方向に沿って挿入される。前記カードコネクタは、絶縁性本体１と、前記絶縁性本体に固着される複数の第１端子２１及び第２端子２２とを備える。前記絶縁性本体は、前端面１０と、底壁と、前記前端面から後向きに窪んで前記底壁に形成される挿入溝１５と、を備える。前記各第１端子は、前記底壁に支持されて前記挿入溝に露出する平板状の第１接触部と、第１半田接続部とを有する。前記各第２端子は、前記挿入溝に向かって突出する第２接触部と、第２半田接続部とを有する。【選択図】図３
0003169263.tif 000002
【実用新案登録請求の範囲】
【請求項１】
電子カードが挿入方向に沿って挿入されるカードコネクタであって、
前端面と、底壁と、前記前端面から後向きに窪んで前記底壁の上に形成される挿入溝と、を備える絶縁性本体と、
前記絶縁性本体に固着され、前記底壁に支持されて前記挿入溝に向かって露出する平板状の第１接触部と、前記絶縁性本体から延出する第１半田接続部とを有する複数の第１端子と、
前記絶縁性本体に固着され、前記挿入溝に向かって突出する弾性的な第２接触部と、前記絶縁性本体から延出する第２半田接続部とを有する複数の第２端子と、
を備えることを特徴とするカードコネクタ。
【請求項２】
前記第１端子の第１接触部は、前記第２端子の第２接触部より、前記絶縁性本体の前端面の近くに位置することを特徴とする請求項１に記載のカードコネクタ。
【請求項３】
前記第１端子の第１接触部と前記第２端子の第２接触部とは、前記挿入方向に沿ってオフセットすることを特徴とする請求項１又は２に記載のカードコネクタ。
【請求項４】
前記絶縁性本体の底壁には、前記電子カードを保持するための保持面が形成され、前記第１端子の第１接触部が、前記保持面に対して窪んでおり、前記第２端子の第２接触部が、前記保持面に対して突出していることを特徴とする請求項１から３の何れか一項に記載のカードコネクタ。
【請求項５】
前記絶縁性本体には、前記第１端子の第１接触部を収納するための複数の凹所と、前記第２端子の第２接触部を収納するための複数の端子溝とが形成され、前記複数の第１端子がインサートモールドによって絶縁性本体に成型され、前記複数の第２端子が絶縁性本体にインサートモールドによって成型され、或いは組み立てられることを特徴とする請求項１から４の何れか一項に記載のカードコネクタ。
【請求項６】
前記複数の第１端子が五つの第１端子からなる第１端子グループを有し、前記五つの第１端子が、両対の第１差分信号端子と、両対の第１差分信号端子の間に配置される第１接地端子と、を有し、
前記複数の第２端子が四つの第２端子からなる第２端子グループを有し、前記四つの第２端子が、パワー端子と、第２差分信号端子と、一対の第２差分信号端子と、第２接地端子と、の順で有することを特徴とする請求項１から５の何れか一項に記載のカードコネクタ。
【請求項７】
前記複数の第１端子は、二つの前記第１端子グループを有し、一方と他方の前記第１端子グループの間の距離が、一つの前記第１端子グループの中の隣接する二つの前記第１端子の間の距離よりも大きく、
前記複数の第２端子が、二つの前記第２端子グループを有し、一方と他方の前記第２端子グループの間の距離が、一つの前記第２端子グループの中の隣接する二つの前記第２端子の間の距離よりも大きいことを特徴とする請求項６に記載のカードコネクタ。
【考案の詳細な説明】
【技術分野】
【０００１】
本考案は、カードコネクタに関し、特に、ＵＳＢ（Ｕｎｉｖｅｒｓａｌ  Ｓｅｒｉａｌ  Ｂｕｓ）規格に準拠した電子カードが挿入できるカードコネクタに関するものである。
【背景技術】
【０００２】
従来技術のカードコネクタは、絶縁性本体と、前記絶縁性本体に固着される複数の導電端子と、を備える。前記絶縁性本体には、相手電子カードを収納するための収納溝が形成される。各導電端子には、前記収納溝に向かって突出する接触部が設けられる。電子カードが挿入される時、電子カードが導電端子と接触する。
【考案の概要】
【考案が解決しようとする課題】
【０００３】
ＵＳＢ規格に準拠した新型の電子カードが挿入される時、従来のカードコネクタは適用できない。
【０００４】
そこで本考案は、上述される従来技術の問題に鑑み、新型の電子カードが挿入できるカードコネクタを提供することを目的とする。
【課題を解決するための手段】
【０００５】
前記目的を達成するために、本考案のカードコネクタは、電子カードが挿入方向に沿って挿入される。前記カードコネクタは、絶縁性本体と、前記絶縁性本体に固着される複数の第１端子及び第２端子とを備える。前記絶縁性本体は、前端面と、底壁と、前記前端面から後向きに窪んで前記底壁に形成される挿入溝と、を備える。前記各第１端子は、前記底壁に支持されて前記挿入溝に露出する平板状の第１接触部と、第１半田接続部とを有する。前記各第２端子は、前記挿入溝に向かって突出する第２接触部と、第２半田接続部とを有する。
【考案の効果】
【０００６】
従来技術と比べると、本考案は以下の長所を有する。ＵＳＢ３．０規格に準拠した新型カードも、このようなカードコネクタに挿入できる。
【図面の簡単な説明】
【０００７】
【図１】本考案の第１実施形態のカードコネクタの組立斜視図である。
【図２】別の角度から見た図１のカードコネクタの別の組立斜視図である。
【図３】図１に示すカードコネクタの部分の組立斜視図である。
【図４】図３に示すカードコネクタの分解斜視図である。
【図５】別の角度から見た図３のカードコネクタの別の分解斜視図である。
【図６】第２実施形態のカードコネクタの組立斜視図である。
【図７】図６に示すカードコネクタの部分の組立斜視図である。
【図８】図７に示すカードコネクタの分解斜視図である。
【考案を実施するための形態】
【０００８】
図１〜図５を参照すると、本発明の第１実施形態のカードコネクタ１００は、絶縁性本体１と、絶縁性本体１に挿入される複数の導電端子２と、前記絶縁性本体１を遮蔽する遮蔽部材３と、を備える。
【０００９】
絶縁性本体１は、基部１１と、底壁１２と、一対の側壁１３と、を備える。基部１１と、底壁１２と、一対の側壁１３との間には、挿入溝１５が形成される。絶縁性本体１の基部１１の前方側には、前端面１０が設けられる。前記挿入溝１５は、前記前端面１０から後向きに窪まる。前記底壁１２は、保持面１２０と、前記保持面１２０から窪んだ五つの凹所１２２と、前記基部１１を貫通する四つの端子溝１２１と、を有する。五つの凹所１２２は、前記端子溝１２１よりも前記前端面１０の近くに位置する。基部１１の頂面の後部には、一対の凸状部片１１１が設けられる。前記各側壁１３の外表面には、傾斜するガイド面１３２を含む係合部１３１が設けられる。
【００１０】
前記導電端子２は、ＵＳＢ３．０規格に準拠した五つの第１端子２１と四つの第２端子２２とを備える。五つの第１端子２１は、両対の第１差分信号端子２３と、両対の第１差分信号端子２３の間に配置される第１接地端子２４と、を備える。各第１端子２１は、平板状の第１接触部２１２と、第１半田接続部２１３と、第１接触部２１２と第１半田接続部２１３との間に設けられる第１固定部２１１とを有する。各第１固定部２１１は、水平に延在する第１延在部２１１１と、第１延在部２１１１から垂直に折り曲げられて前記第１接触部２１２に連接する第１ネック部２１１２と、を有する。第１端子２１の第１接地端子２４は、一対の前記第１半田接続部２１３を有する。
【００１１】
四つの第２端子２２は、パワー端子２５と、一対の第２差分信号端子２７と、第２接地端子２６と、の順で備える。各第２端子２２は、弾性的な第２接触部２２２と、第２半田接続部２２３と、第２接触部２２２と第２半田接続部２２３との間に設けられる第２固定部２２１とを有する。
【００１２】
遮蔽部材３は、天板３１と、前記天板３１と対向する底板３２と、一対の側板３３とを有する。天板３１と、底板３２と、一対の側板３３との間には、収納空間３０が形成される。前記天板３１の後端には、一対の切欠け３１１が形成される。各側板３３の後端には、係合孔３３１が形成される。各側板３３には、半田接続脚３３２が設けられる。
【００１３】
カードコネクタ１００を組み立てる時、先ず、五つの第１端子２１が絶縁性本体１にインサートモールドによって成型される。第１端子２１の第１接触部２１２は、凹所１２２から露出する。四つの第２端子２２は、前記絶縁性本体１にインサートモールドによって成型され、或いは前記端子溝１２１に挿入される。前記第２端子２２の第２接触部２２２が、前記絶縁性本体１の端子溝１２１から露出される。第１端子２１の第１接触部２１２は、保持面１２０に対して窪んでいる。前記第２端子２２の第２接触部２２２は、前記保持面１２０に対して突出している。前記第１端子２１の第１接触部２１２は、前記第２端子２２の第２接触部２２２より、前記前端面１０の近くに位置する。前記第１端子２１の第１接触部２１２と第２端子の第２接触部２２２とは、前記挿入方向に沿ってオフセットする。前記第１端子２１の第１半田接続部２１３と前記第２端子２２の第２半田接続部２２３とは、一列に配置される。第２接地端子２６の第２半田接続部２２３とパワー端子２５の第２半田接続部２２３とは、外側に配置される。第１接地端子２４の二つの第１半田接続部２１３の間には、一対の第２差分信号端子２７の二つの第２半田接続部２２３が配置される。前記絶縁性本体１は、遮蔽部材３の収納空間３０に装着される。絶縁性本体１の凸状部片１１１は、遮蔽部材３の切欠け３１１と係合する。前記絶縁性本体１の係合部１３１は、ガイド面１３２によって、係合孔３３１と係合する。
【００１４】
これにより、ＵＳＢ３．０規格に準拠した新型カードが、このようなカードコネクタ１００に挿入できる。
【００１５】
図６〜図８に示すように、第２実施形態のカードコネクタ２００は、絶縁性本体４と、導電端子５と、遮蔽部材６とを備える。
【００１６】
五つの第１端子５１は、第１端子グループを構成する。四つの第２端子５２は、第２端子グループを構成する。第２実施形態の導電端子５は、並列に配置される第１端子グループと、並列に配置される第２端子グループと、を備える。第２実施形態の各第１導電端子５１の構造は、第１実施形態の各第１導電端子２１の構造と、同一である。第２実施形態の各第２導電端子５２の構造は、第１実施形態の各第２導電端子２２の構造と、同一である。
【００１７】
五つの凹所４２２は、凹所グループを構成する。四つの端子溝４２１は、端子溝グループを構成する。第２実施形態の絶縁性本体４は、並列に形成される凹所グループと、並列に形成される端子溝グループと、を備える。第２実施形態の各凹所４２２の構造は、第１実施形態の各凹所１２２の構造と、同一である。第２実施形態の各端子溝４２１の構造は、第１実施形態の各端子溝１２１の構造と、同一である。
【００１８】
カードコネクタ２００を組み立てる時、第１端子５１が絶縁性本体４にインサートモールドによって成型され、対応する凹所４２２に露出する。第２端子５２は、対応する端子溝４２１に挿入される。一方と他方の第１端子グループの間の距離が、一つの第１端子グループの中の隣接する二つの第１端子５１の間の距離よりも大きい。一方と他方の第２端子グループの間の距離が、一つの第２端子グループの中の隣接する二つの第２端子５２の間の距離よりも大きい。これにより、ＵＳＢ３．０規格に準拠した対応の新型カードが、このようなカードコネクタ２００にも挿入できる。
【００１９】
他の実施形態において、第１端子グループと、第２端子グループとが、それぞれ二つの絶縁性本体に装着された後、二つの絶縁性本体を組み立てる。
【００２０】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２１】
１００  カードコネクタ
１  絶縁性本体
１０  前端面
１１  基部
１１１  凸状部片
１２  底壁
１２０  保持面
１２１  端子溝
１２２  凹所
１３  側壁
１３１  係合部
１３２  ガイド面
１５  挿入溝
２  導電端子
２１  第１端子
２１１  第１固定部
２１１１  第１延在部
２１１２  第１ネック部
２１２  第１接触部
２１３  第１半田接続部
２２  第２端子
２２１  第２固定部
２２２  第２接触部
２２３  第２半田接続部
２３  第１差分信号端子
２４  第１接地端子
２５  パワー端子
２６  第２接地端子
２７  第２差分信号端子
３  遮蔽部材
３０  収納空間
３１  天板
３１１  切欠け
３２  底板
３３  側板
３３１  係合孔
３３２  半田接続脚
４  絶縁性本体
４２１  端子溝
４２２  凹所
５  導電端子
５１  第１端子
５２  第２端子
６  遮蔽部材
【図１】
0003169263.tif 000003
【図２】
0003169263.tif 000004
【図３】
0003169263.tif 000005
【図４】
0003169263.tif 000006
【図５】
0003169263.tif 000007
【図６】
0003169263.tif 000008
【図７】
0003169263.tif 000009
【図８】
0003169263.tif 000010